(57)【要約】  本発明は、単一ファイバー光学配線（ＭＦＯＬ）によって中央端末（ＣＴ）に接続された遠隔端末（ＲＴ）内のデバイスによって実装された、プローブ信号を再伝送するための方法に関し、プローブ信号は、遠隔端末（ＲＴ）によって受信され、所定の波長（λｐｒｏｂｅ）を有し、中央端末及び遠隔端末は、プローブ波長のそれとは異なる波長を有する、使用可能なデータ信号（λｄ、λｕ）をこの光学配線に渡って交換し、本方法は、第１の偏光（Ｐ１）で偏光されたプローブ信号を受信する段階と、プローブ信号を中央端末の方へ単一ファイバー配線に渡って再伝送する段階と、再伝送段階に先立って、プローブ信号の第１の偏光（Ｐ１）を第２の偏光（Ｐ２）に切り替える段階と、を含む。
2016516375.tif 000002
【特許請求の範囲】
【請求項１】
単一ファイバー光学配線（ＭＦＯＬ）によって中央端末（ＣＴ）に接続された遠隔端末（ＲＴ）によって実装された、プローブ信号を再放出するための方法であって、前記プローブ信号が前記遠隔端末によって受信され、所定の波長（λｐｒｏｂｅ）を有し、前記中央端末及び遠隔端末が、前記光学配線で使用可能な、前記プローブ信号の波長と異なる波長（λｄ、λｕ）を有するデータ信号を交換する、プローブ信号を再放出するための方法であって、
（Ｆ１）前記プローブ信号を受信する段階と、
（Ｆ３）前記プローブ信号を前記中央端末に向かって、前記単一ファイバー配線に再放出する段階と、を含み、
受信された前記プローブ信号が第１の偏光（Ｐ１）で偏光され、前記方法が、前記再放出段階に先立って、
（Ｆ２）前記プローブ信号の前記第１の偏光を、第２の偏光（Ｐ２）に調整する段階（Ｆ２）を含むことを特徴とする、方法。
【請求項２】
前記プローブ信号を反射する段階を含むことを特徴とする、請求項１に記載の再放出方法。
【請求項３】
前記再放出段階及び前記調整する段階が、ファラデー回転鏡（ＰｏｌＴｒａｎｓ）で実装されたことを特徴とする、請求項１または２に記載の再放出方法。
【請求項４】
前記第２の偏光（Ｐ２）が、前記第１の偏光（Ｐ１）に対して９０°回転したことを特徴とする、請求項１から３のいずれか一項に記載の再放出方法。
【請求項５】
単一ファイバー光学配線（ＭＦＯＬ）によって遠隔端末（ＲＴ）に接続された中央端末（ＣＴ）によって実装された、プローブ信号を処理するための方法であって、前記プローブ信号がプローブ波長として参照される所定の波長（λｐｒｏｂｅ）であり、前記中央端末及び前記遠隔端末が、前記光学配線で使用可能な、前記プローブ信号の波長と異なる波長（λｄ、λｕ）を有するデータ信号を交換する、プローブ信号を処理するための方法であって、
（Ｅ１）前記プローブ信号を、前記遠隔端末に向かって前記単一ファイバー光学配線に放出する段階と、
（Ｅ２）プローブ波長の信号を受信する段階と、
（Ｅ４）前記単一ファイバー光学配線を監視するために、受信された前記プローブ波長の信号に基づいて実施される、出力の測定（Ｍｐｒｏｂｅ）を行う段階と、を含み、
前記方法が、放出された前記プローブ信号が第１の偏光（Ｐ１）で偏光され、本方法がさらに、
（Ｅ３）受信された前記プローブ波長の信号を前記第１の偏光（Ｐ１）を有する第１の部分と、第２の偏光（Ｐ２）を有する第２の部分とに分離し、前記出力の測定が前記第２の部分において行われることを特徴とする、プローブ信号を処理するための方法。
【請求項６】
前記分離段階が、偏光分離構成要素（Ｓｅｐ）に実装されることを特徴とする、請求項５に記載の処理方法。
【請求項７】
単一ファイバー光学配線（ＭＦＯＬ）によって中央端末（ＣＴ）に接続された遠隔端末（ＲＴ）によって実装された、プローブ信号を再放出するためのデバイス（Ｒ１０）であって、前記デバイス（Ｒ１０）が、前記配線を介して、少なくとも１つの第１のいわゆるクライアント波長を受信することができ、少なくとも１つの第２のクライアント波長を前記中央端末に向けて放出することができ、前記クライアント波長が、使用可能なデータを搬送し、前記デバイス（Ｒ１０）が、
前記第１及び第２のクライアント波長と異なる、所定の波長のいわゆるプローブ信号（Ｐｒｏｂｅ）を受信するためのモジュール（Ｒ１００）と、
前記プローブ信号（Ｐｒｏｂｅ）を、前記中央端末（ＣＴ）に向けて前記単一ファイバー配線（ＭＦＯＬ）に再放出するためのモジュール（Ｒ１１０）と、を含み、
受信した前記プローブ信号（Ｐｒｏｂｅ）が第１の偏光を有して偏光され、前記デバイス（Ｒ１０）がさらに、前記プローブ信号（Ｐｒｏｂｅ）の再放出に先立って実装可能である、前記プローブ信号（Ｐｒｏｂｅ）の前記第１の偏光を第２の偏光に調整するためのモジュール（Ｒ１２０）をさらに含むことを特徴とする、プローブ信号を再放出するためのデバイス。
【請求項８】
単一ファイバー光学配線（ＭＦＯＬ）によって遠隔端末（ＲＴ）に接続された中央端末（ＣＴ）によって実装された、プローブ信号を処理するためのデバイス（Ｃ１０）であって、前記デバイス（Ｃ１０）が、少なくとも１つの第１のいわゆるクライアント波長を放出し、少なくとも１つの第２のクライアント波長を受信することができ、前記クライアント波長が、使用可能なデータを搬送し、前記デバイス（Ｃ１０）が、
前記遠隔端末（ＲＴ）に向かって、前記第１及び第２のクライアント波長と異なる、プローブ波長と称される所定の波長のいわゆるプローブ信号（Ｐｒｏｂｅ）を放出するためのモジュール（Ｃ１１０）と、
プローブ波長の信号（Ｐｒｏｂｅ）を受信するためのモジュール（Ｃ１００）と、
前記単一ファイバー光学配線（ＭＦＯＬ）を監視するために、受信されたプローブ波長の前記信号（Ｐｒｏｂｅ）に基づいて実行される出力測定を実施するためのモジュール（Ｃ１３０）と、を含み、
放出された前記プローブ信号（Ｐｒｏｂｅ）が、第１の偏光を有して偏光され、前記デバイス（Ｃ１０）がさらに、受信されたプローブ波長の前記信号（Ｐｒｏｂｅ）を前記第１の偏光を有する第１の部分及び第２の調整を有する第２の部分に分離するためのモジュール（Ｃ１２０）を含み、前記出力の測定（Ｍｐｒｏｂｅ）が前記第２の部分について実行されることを特徴とする、プローブ信号を処理するためのデバイス。
【請求項９】
請求項７に記載の、プローブ信号を再放出するためのデバイス（Ｒ１０）を含むことを特徴とする、遠隔端末（ＲＴ）。
【請求項１０】
請求項８に記載の、プローブ信号を処理するための少なくとも１つのデバイス（Ｃ１０）を含むことを特徴とする、中央端末（ＣＴ）。
【請求項１１】
請求項１０に記載の中央端末（ＣＴ０）、請求項９に記載の少なくとも１つの遠隔端末（ＲＴ１、ＲＴ２、ＲＴ３）、及び少なくとも１つの前記遠隔端末を前記中央端末に接続することができる少なくとも１つの単一ファイバー光学配線（ＭＦＯＬａ、ＭＦＯＬｂ、ＭＦＯＬｃ）を含むことを特徴とする、単一ファイバー光学配線監視システム（ＳＳ）。
【発明の詳細な説明】
【技術分野】
【０００１】
本特許出願は、単一ファイバーの、２点間光学配線の監視の分野に関する。
【背景技術】
【０００２】
中央部と遠隔部との間の光学接続に関して、中央部に配置された１つの装置によって放出され、次いで遠隔部に配置された１つの装置によって返される、プローブ波長と呼ばれるものの使用に基づく単一ファイバー配線監視技術が存在する。光学接続は、中央部から遠隔部へのダウンリンク及び遠隔部から中央部へのアップリンクの両方のための、単一のファイバーからなる。
【０００３】
図１は、従来技術に基づく、中央部ＣＳと遠隔部ＲＳとの間の単一ファイバー光学接続ＭＦＯＬを示している。できる限り遠隔部に近づけて、または遠隔部の中において、光学フィルタＦｒ１は、プローブ波長λｐｒｏｂｅと、ファイバーからのダウンリンクに使用可能な信号出力の波長λｄを分離する。次いで、光ファイバーＦｒ２は、λｐｒｏｂｅを、アップリンクに使用可能な信号の波長λｕと結合し、２つの波長λｐｒｏｂｅ及びλｕは再びファイバー内に導入される。中央部に配置された端末は、ダウンリンク方向のＭＦＯＬファイバー内へどのような光学出力でプローブ信号を放出したかを、例えばレーザーダイオードＬＤを有するレベルに配置された測定点（図示されていない）を用いて決定することができる。これは、例えばフォトダイオードＰＤを用いて、アップリンク方向のファイバーＭＦＯＬから来るプローブ波長λｐｒｏｂｅの光学出力を測定する。これらの２つの出力レベルの間の違いに基づき、配線ＭＦＯＬの動作状態についての情報を推定することが可能になる。例えば、少なくとも理論的には、ファイバーの劣化や破損を検出することが可能になる。
【０００４】
この解決手段の１つの問題は、光ファイバー内の光信号の自然発生する後方散乱に起因する。ファイバー内の光の伝搬は、レイリー散乱やブリルアン散乱などの特定の効果を引き起こす。第１の効果（レイリー散乱）は、ファイバーの成分粒子の大きさに対する波長の値に関し、そのため導入信号の出力レベルが低いときであっても散乱が発生する。第２の効果（ブリルアン散乱）は、ファイバーに導入される信号の出力レベルが高すぎるときにファイバー内に現れる非線形効果である。これらの効果の結果、アップリンク方向のファイバーから来るプローブの光学出力を測定するときに、中央部に位置する装置が、実際に遠隔部によって再放出されたアップリンクプローブ信号に対応する信号の部分を、図１の「＋λｐｒｏｂｅ」と示された後方散乱効果に対応する信号の部分から区別できない。これら２つの部分は同じ波長を有するからである。ファイバーが劣化の影響を受け、または完全に破損したとしても、後者の部分は依然として残り、中央部で受信され、測定されることとなる。従って、そのような監視の解決手段はあまり信頼性がない。
【０００５】
本発明の目的の１つは、先行技術のこれらの欠点を解消することである。
【発明の概要】
【課題を解決するための手段】
【０００６】
本発明は、単一ファイバー光学配線によって中央端末に接続された遠隔端末によって実装された、プローブ信号を再放出するための方法であって、プローブ信号が遠隔端末によって受信され、所定の波長を有し、中央端末及び遠隔端末が、光学配線で使用可能な、プローブ信号の波長と異なる波長を有するデータ信号を交換する、プローブ信号を再放出する方法であって、プローブ信号を受信する段階と、プローブ信号を中央端末に向かって、単一ファイバー配線に再放出する段階と、を含み、受信されたプローブ信号が第１の偏光で偏光され、方法が、再放出段階に先立って、プローブ信号の第１の偏光を、第２の偏光に調整する段階を含む方法を使用して、状況を改善する。
【０００７】
本発明では、レイリー散乱による中央端末へ向かう後方散乱したプローブ光の影響が、遠隔端末によるプローブの偏光の調整のために制限される。具体的には、遠隔端末に到達する前に後方散乱されたプローブ波長の光が、調整前のそれ自体のプローブ波長の光の性質と同じ性質を有し、その一方遠隔端末によって再放出されたプローブ波長の光は異なる偏光を有するという利点がある。
【０００８】
そのため、アップリンク方向、すなわち中央端末へ向かうプローブ波長は２種類の偏光を有する。第１の種類は、レイリー効果によって後方散乱され、遠隔端末によって受信されたプローブ信号によって発生した光に対応し、第２の種類は、遠隔端末によって実際に再放出されたプローブ信号に対応する。
【０００９】
そのため、これら２種類の偏光を受信する中央端末は、それらを区別することができ、配線の監視のための第２の種類のみを考慮することができる。配線が破損している場合、第２の種類の光は存在せず、またその逆も成り立つ。
【００１０】
本発明の１つの態様によれば、再放出する方法は、プローブ信号を反射する段階を含む。
【００１１】
反射する段階のために、光を発生するための能動的な構成要素は、プローブ波長に関して遠隔端末内に必要でない。そのため、遠隔端末によるプローブ信号の再放出により導入される電力消費の増加はゼロになる。
【００１２】
本発明の１つの態様によれば、再放出段階及び調整する段階が、ファラデー回転鏡で実装される。
【００１３】
レーザーキャビティの製造で従来使用される単一の受動素子であるファラデー回転鏡は、本発明に従う遠隔端末の再放出及び調整モジュールを実装するためにのみ必要とされる。この構成要素のこの革新的な使用は、本発明に従う中央端末の開発、製造及び動作コストを低減する傾向にある。
【００１４】
本発明の１つの態様によれば、第２の偏光は、第１の偏光に対して９０度回転する。
【００１５】
構成要素の製造プロセスに起因して約２°の誤差を有して、偏光を約９０°調整することにより、レイリー効果によって後方散乱されたプローブ波長と遠隔端末によって反射されたプローブ波長との間の差異の最適なレベルが得られる。そのため、中央端末に関して、反射したプローブ波長の検出が容易になる。
【００１６】
本発明はまた、単一ファイバー光学配線によって遠隔端末に接続された中央端末によって実装された、プローブ信号を処理するための方法であって、プローブ信号がプローブ波長として参照される所定の波長であり、中央端末及び遠隔端末が、光学配線で使用可能な、プローブ信号の波長と異なる波長を有するデータ信号を交換する、プローブ信号を処理するための方法であって、プローブ信号を、遠隔端末に向かって単一ファイバー光学配線に放出する段階と、プローブ波長の信号を受信する段階と、単一ファイバー光学配線を監視するために、受信されたプローブ波長の信号に基づいて実施される、出力の測定を行う段階と、を含み、放出されたプローブ信号が第１の偏光で偏光され、本方法がさらに、受信されたプローブ波長の信号を第１の偏光を有する第１の部分と、第２の偏光を有する第２の部分とに分離し、出力の測定が第２の部分において行われる、プローブ信号を処理するための方法に関する。
【００１７】
本発明では、先行技術とは対照的に、本発明に従う処理方法を実装する中央端末によって受信されたプローブ信号の１つの部分が、この端末がもともと放出したプローブ信号と同じ偏光を有して偏光されない。結果的に、この部分もまた、中央端末によって受信された同じプローブ波長の他の信号部と同じ偏光を有さず、プローブ信号がもともと放出したものからレイリー散乱によって単一ファイバー光学配線において生成されたものと同じ偏光を有する。
【００１８】
そのため、中央端末は、第１及び第２の偏光に応じてプローブ波長の受信信号を分離することができ、プローブ信号に実際に対応する部分を離隔することができる。
【００１９】
そのため、レイリー効果がプローブ波長において生成する汚染は制限され、排除されさえする。そのため、光学配線の監視はレイリー後方散乱効果によって影響されないプローブ波長の信号の部分の測定に基づきうる。従って、光学配線の機能不全または破損が信頼性良く検出されうる。
【００２０】
本発明の１つの態様によれば、分離段階は、偏光分離構成要素に実装される。
【００２１】
そのような調整分離構成要素は例えば、伝送ネットワークの中核部において従来使用される受動構成要素であるＰＳＣＣ（偏極分離／結合立方体）である。この構成要素のこの革新的使用は、本発明に従う中央端末の開発、製造及び動作コストを低減する傾向にある。
【００２２】
本発明はまた、単一ファイバー光学配線によって中央端末に接続された遠隔端末によって実装された、プローブ信号を再放出するためのデバイスであって、デバイスが、配線を介して、少なくとも１つの第１のいわゆるクライアント波長を受信することができ、少なくとも１つの第２のクライアント波長を中央端末に向けて放出することができ、クライアント波長が、使用可能なデータを搬送し、デバイスが、第１及び第２のクライアント波長と異なる、所定の波長のいわゆるプローブ信号を受信するためのモジュールと、プローブ信号を単一ファイバー配線において中央端末に向けて再放出するためのモジュールとを含み、受信したプローブ信号が第１の偏光を有して偏光され、デバイスがさらに、プローブ信号の再放出に先立って実装可能である、プローブ信号の第１の偏光を第２の偏光に調整するためのモジュールをさらに含む、プローブ信号を再放出するためのデバイスに関する。
【００２３】
本発明はまた、単一ファイバー光学配線によって遠隔端末に接続された中央端末によって実装された、プローブ信号を処理するためのデバイスであって、デバイスが、少なくとも１つの第１のいわゆるクライアント波長を放出し、少なくとも１つの第２のクライアント波長を受信することができ、クライアント波長が、使用可能なデータを搬送し、デバイスが、遠隔端末に向かって、第１及び第２のクライアント波長と異なる、プローブ波長と称される所定の波長のいわゆるプローブ信号を放出するためのモジュールと、プローブ波長の信号を受信するためのモジュールと、単一ファイバー光学配線を監視するために、受信されたプローブ波長の信号に基づいて実行される出力測定を実施するためのモジュールと、を含み、放出されたプローブ信号が、第１の偏光を有して偏光され、デバイスがさらに、受信されたプローブ波長の信号を第１の偏光を有する第１の部分及び第２の偏光を有する第２の部分に分離するためのモジュールを含み、出力の測定が第２の部分について実行される、プローブ信号を処理するためのデバイスに関する。
【００２４】
本発明はまた、上述のような再放出デバイスを含む遠隔端末に関する。
【００２５】
本発明はまた、上述のようなプローブ信号を処理するための少なくとも１つのデバイスを含む、中央端末に関する。
【００２６】
本発明はまた、上述のような中央端末、上述のような少なくとも１つの遠隔端末、及び少なくとも１つの遠隔端末を中央端末に接続することができる少なくとも１つの単一ファイバー光学配線を含む、単一ファイバー光学配線監視システムに関する。
【００２７】
例えば、監視システムは、中央サイトの基地局が２点間光ファイバーによって、遠隔アンテナサイトのそれぞれに接続された、３ＧＰＰ  ＬＴＥ／ＥＰＣ標準を用いる携帯電話バックホールネットワークに適用可能である。中央サイトと遠隔サイトとの間のファイバーのそれぞれに関して、本発明に従う中央端末は、基地局サイトの１つのＢＢＵ（バックバンドユニット）装置に実装されてもよく、本発明に従う遠隔端末は、アンテナサイトの１つのＲＲＨ（遠隔無線ヘッド）装置に実装されてもよい。
【００２８】
本発明の監視システムの別の例示的な応用例は、電子通信ネットワークオペレーターに対して企業によって借りられた２点間ブロードバンド光学配線のそれである。
【００２９】
本発明の他の利点及び特徴は、単に例示的かつ非限定的な例として与えられ、添付された図面を参照して本発明の１つの特定の実施形態の以下の説明を読むことにより、より明らかになるであろう。
【図面の簡単な説明】
【００３０】
【図１】従来技術に従う単一ファイバー光学配線監視システムを概略的に示す。
【図２】本発明の１つの実施形態に従う単一ファイバー光学配線監視システムの例示的な実装例を示す。
【図３】本発明の１つの態様に従う、プローブ信号を再放出し、プローブ信号を処理するための方法の各段階を示す。
【図４】本発明に従う処理方法を実装する、本発明の１つの特定の実施形態に従うプローブ信号を処理するためのデバイスを示す。
【図５】本発明に従う再放出方法を実装する、本発明の１つの特定の実施形態に従うプローブ信号を再放出するためのデバイスを示す。
【図６】本発明の代替的な実施形態に従う単一ファイバー光学配線監視システムの例示的な実装形態を示す。
【発明を実施するための形態】
【００３１】
記述の残りの部分において、１つのＢＢＵ装置及び１つのＲＲＨ装置のような２つの電子通信ネットワーク装置の間の単一ファイバー光学配線に基づく本発明の例示的な実施形態が説明されるが、本発明は他の場合にも適用される。
【００３２】
図１は、従来技術の課題の説明に関して上述されており、さらに詳細に説明することはない。
【００３３】
図２は、本発明の１つの実施形態に従う単一ファイバー光学配線監視システムの例示的な実施形態を示す。
【００３４】
このシステムは、単一ファイバー光学配線ＭＦＯＬで接続された中央端末ＣＴ及び遠隔端末ＲＴを含む。それぞれ波長λｄ及びλｕのダウンリンク及びアップリンクの使用可能な信号は、２つの端末の間で交換可能なように、それぞれマルチプレクサ／デマルチプレクサＭｘｃ及びＭｘｒによって波長λｐｒｏｂｅのプローブ信号で変調され、または復調される。
【００３５】
端末ＣＴにおいて、レーザーダイオードＬＤは偏光Ｐ１を有する波長λｐｒｏｂｅのプローブ信号を放出する。この信号は、ブリルアン効果による後方散乱を制限することができるように、特定の周波数において過変調されうる。端末ＣＴの分離モジュールＳｅｐは、ダウンリンク方向において、偏光Ｐ１の信号が変調されずに通過し、もう一方の方向において、偏光Ｐ２の信号が分離されることを可能にする。フォトダイオードＰＤは偏光Ｐ２の分離された信号の出力Ｍｐｒｏｂｅを測定する。
【００３６】
遠隔端末ＲＴに向かう経路において、偏光Ｐ１のプローブ信号は、ＭＦＯＬ配線の光学媒体内で、「＋λｐｒｏｂｅ，Ｐ１」で示されるレイリー及びブリルアン後方散乱効果にさらされる。
【００３７】
遠隔端末ＲＴにおいて、モジュールＰｏｌＴｒａｎｓは、プローブ信号を、Ｐ１からＰ２への矢印で示される偏光の変化を発生させ、偏光Ｐ２の信号を端末ＣＴに向けて再放出する。
【００３８】
図３は、段階がその後に数字がつく「Ｅ」で表されるプローブ信号を処理するための方法及び段階がその後に数字がつく「Ｆ」で表されるプローブ信号を再放出するための方法の両方の段階を示している。
【００３９】
段階Ｅ１において、波長λｐｒｏｂｅのプローブ信号が、中央端末ＣＴ内のレーザーダイオードＬＤによって放出される。この波長を約１００ｋＨｚの周波数で過変調することにより、ブリルアン効果の最適なレベルの減衰が得られる。そのため、プローブ信号の出力を増加させ、そのため、信号の出力に起因する、本来的な後方散乱を増加させることなく、単一ファイバー光学配線の帯域を増加させることが可能となる。
【００４０】
中央端末ＣＴのマルチプレクサ／デマルチプレクサＭｘｃは、波長λｐｒｏｂｅのプローブ信号及び、光学配線ＭＦＯＬ上で放出する前の、波長λｄの少なくとも１つのダウンリンクで使用可能な信号を含む、複数の信号を多重化する。
【００４１】
任意の光学信号と同様に、中央端末ＣＴによって遠隔端末ＲＴに向けて放出された波長λｐｒｏｂｅのプローブ信号は、Ｐ１で表される特定の偏光を有する。端末ＣＴによって配線ＭＦＯＬ内に放出されたこのプローブ信号へのレイリー及びブリルアン効果の作用下で後方散乱された光もまた、同じ偏光Ｐ１を有することとなる。
【００４２】
段階Ｆ１で遠隔端末ＲＴによってプローブ信号が受信されると、マルチプレクサ／デマルチプレクサＭｘｒによって、ダウンリンクで使用可能な波長λｄの信号などの異なる波長のその他の信号に多重化解除される。
【００４３】
次いでプローブ信号は段階Ｆ３において、再放出モジュールＰｏｌＴｒａｎｓによって再放出され、中央端末ＣＴに向けて経路を反対に向かう。段階Ｆ２において、この再放出モジュールＰｏｌＴｒａｎｓはまた、波長λｐｒｏｂｅの信号の偏光を調整する操作を実行する。初期偏光Ｐ１は新しい値Ｐ２に調整される。そのためプローブ信号は偏光Ｐ１ではなくＰ２を有して再放出される。
【００４４】
端末ＣＴによって配線ＭＦＯＬ内に放出されるこのプローブ信号におけるレイリー及びブリルアン効果の作用の下で後方散乱された光は、遠隔端末ＲＴによって調整されたこの偏光Ｐ２を有しない。
【００４５】
段階Ｅ２においてプローブ信号が中央端末ＣＴによって受信されると、マルチプレクサ／デマルチプレクサＭｘｃによってアップリンクで使用可能な波長λｕの信号などの異なる波長の他の信号と多重化解除される。
【００４６】
段階Ｅ３において、プローブ信号が、波長λｐｒｏｂｅのプローブ信号の部分を偏光Ｐ１の第１の部分と偏光Ｐ２の第２の部分とに分離する分光分離モジュールＳｅｐによって処理される。部分Ｐ１は潜在的にレイリー及びブリルアン効果によって汚染されていることが分かっている。これは、部分Ｐ２の場合にはない。なぜなら、この部分は中央端末ＣＴから遠隔端末ＲＴまで「往路」はなく、遠隔端末ＲＴから中央端末ＣＴまでの「復路」のみがあるからである。
【００４７】
そのため、段階Ｅ４において、分離され分けられた偏光Ｐ２のプローブ信号の出力が、フォトダイオードＰＤにより測定される。
【００４８】
先行技術と異なり、測定された出力はプローブ信号の「往路」行程の間における、受信されたプローブ信号の出力へのレイリー及びブリルアン効果の寄与による干渉を受けない。
【００４９】
本発明に従うシステムの別の利点は、測定されるべきプローブ信号を分離するために、アップリンク方向及びダウンリンク方向ではなくむしろ２つの異なる偏光Ｐ１及びＰ２を分離すれば十分であるため、ダウンリンク波長をアップリンク波長から分離するために先行技術において必須である、図１のサーキュレータＣｃが、もはや必要でないことである。
【００５０】
従って、４０ｄＢの光学バジェットのために、ＭＦＯＬファイバーが損傷がない場合と損傷した場合の中央端末ＣＴにおいて測定されたプローブ信号の出力の間の差異が、先行技術においては３から４ｄＢであるのに対し、９から１０ｄＢに達しうる。完全な破壊よりも深刻でないファイバーの劣化の場合、例えば５ｄＢの損失が観察された場合には、レイリー効果のレベルから依然として４から５ｄＢの検出余裕が存在する。それによって、単一ファイバー光学配線ＭＦＯＬの監視が非常に容易になる。
【００５１】
図４は、本発明の１つの特定の実施形態に従うプローブ信号を処理するためのデバイスを示しており、本発明に従う処理方法を実装している。処理デバイスＣ１０は、以下の、プローブ信号Ｐｒｏｂｅを受信することができる受信モジュールＣ１００と、プローブ信号Ｐｒｏｂｅを放出することができる放出モジュールＣ１１０と、１つの方向の１つの特定の偏光を有する信号の１つの部分を分離することができ、他の方向の信号の偏光を変化させないままにすることができる分離モジュールＣ１２０と、光学信号の出力Ｍｐｒｏｂｅを測定することができる測定モジュールＣ１３０と、を含む。受信モジュールＣ１００は有利には、例えば使用可能な信号に対応する異なる波長の複数の信号を受信において多重化解除すること及び同一の波長の多数の信号として放出の際に多重化することもできるマルチプレクサ／デマルチプレクサを使用して実装されうる。またモジュールＣ１００は放出方向にプローブ信号Ｐｒｏｂｅを通過させることも可能である。放出モジュールＣ１１０は、有利にはモジュラーレーザーダイオードを使用して実装されうる。分離モジュールＣ１２０は、有利にはＰＳＣＣ（偏光分離／結合立方体）型の構成要素を使用して実装されうる。測定モジュールＣ１３０は、有利にはフォトダイオードを使用して実装されうる。
【００５２】
モジュールＣ１１０、Ｃ１２０及びＣ１３０は、単一のモジュールＣ１４０に１つにグループ化されてもよく、その機能は単一ファイバー光学配線監視測定Ｍｐｒｏｂｅを提供することである。
【００５３】
有利には、処理デバイスＣ１０はまた、少なくとも１つのダウンリンクで使用可能な信号を発生することができる発生モジュールＧｅｎＤ及び少なくとも１つのアップリンクで使用可能な信号を処理することができる処理モジュールＰｒｏｃＵを含んでもよい。
【００５４】
処理デバイスＣ１０は、図２を参照して説明された端末ＣＴなどの、プローブ信号を用いて単一ファイバー光学配線を監視することができる、本発明に従う中央端末に実装されることができる。
【００５５】
図５は、本発明の１つの特定の実施形態に従うプローブ信号を再放出するためのデバイスを示しており、本発明に従う再放出方法を実装する。
【００５６】
再放出デバイスＲ１０は、以下の、プローブ信号を受信することができる受信モジュールＲ１００と、プローブ信号を再放出することができる再放出モジュールＲ１１０と、光学信号偏光Ｐ１を偏光Ｐ２に変化させることができる偏光調整モジュールＲ１２０と、を含む。受信モジュールＲ１００は、有利には例えば使用可能な信号に対応する異なる波長の複数の信号を受信において多重化解除することができ、同じ波長の多数の信号を放出の際に多重化することもできるマルチプレクサ／デマルチプレクサを使用して実装されてもよい。モジュールＲ１００はまた、プローブ信号Ｐｒｏｂｅを放出方向に通過させることもできる。再放出モジュールＲ１１０は、有利には光学ミラーを使用して実装されうる。偏光調整モジュールＲ１２０は、有利には偏光回転子を使用して実装されうる。
【００５７】
モジュールＲ１１０及びＲ１２０は、単一のモジュールＲ１３０に１つにグループ化されてもよく、その機能は、単一ファイバー光学配線を監視する目的でプローブ信号を再放出することである。有利には、そのようなモジュールＲ１３０は、例えば好適には入射偏光の９０°回転を含む、すなわち、換言すれば、出力として入力偏光Ｐ１に対して垂直な偏光Ｐ２を与える、ファラデー回転鏡を使用して実装されてもよい。具体的には、互いに対して垂直な２つの偏光を区別する方が容易である。
【００５８】
有利には、再放出デバイスＲ１０はまた、少なくとも１つのアップリンクに使用可能な信号を発生することができる発生モジュールＧｅｎＵ及び少なくとも１つのダウンリンクに使用可能な信号を処理することができる処理モジュールＰｒｏｃＤを含んでもよい。
【００５９】
再放出デバイスＲ１０は、図２を参照して説明された端末ＲＴのような、単一ファイバー光学配線に、この配線を監視することができるプローブ信号を中央端末に向けて再放出することができる、本発明に従う遠隔端末に実装されてもよい。
【００６０】
図６は、本発明の代替的な実施形態に従う単一光学配線監視システムの例示的な実装形態を示す。
【００６１】
本発明のこの代替的な実装形態において、複数の単一ファイバー光学配線が、本発明によって、所定の中央端末ＣＴ０により監視される。中央端末ＣＴ０は、本発明に従う処理デバイスＣ１０ａ、Ｃ１０ｂ及びＣ１０ｃを含む。遠隔端末ＲＴ１は、本発明に従う再放出デバイスＲ１０ａを含む。遠隔端末ＲＴ２は、本発明に従う再放出デバイスＲ１０ｂを含む。遠隔端末ＲＴ３は、本発明に従う再放出デバイスＲ１０ｃを含む。そのため、本発明に従うシステムＳＳに、単一ファイバー光学配線ＭＦＯＬａ、ＭＦＯＬｂ及びＭＦＯＬｃを、同じ場所で同じ１つの装置ＣＴ０によって監視することができ、それによってハードウェア及び電力の削減を可能にすることができる。
【符号の説明】
【００６２】
ＭＦＯＬ  単一ファイバー光学配線
ＣＴ  中央端末
ＲＴ  遠隔端末
Ｍｘｃ  マルチプレクサ
Ｍｘｒ  デマルチプレクサ
ＬＤ  レーザーダイオード
Ｓｅｐ  分離モジュール
ＰＤ  フォトダイオード
ＰｏｌＴｒａｎｓ  再放出モジュール
Ｐｒｏｂｅ  プローブ信号
Ｃ１０  処理デバイス
Ｃ１００  受信モジュール
Ｃ１１０  放出モジュール
Ｃ１２０  分離モジュール
Ｃ１３０  測定モジュール
Ｃ１４０  単一のモジュール
ＧｅｎＤ  発生モジュール
ＰｒｏｃＵ  処理モジュール
Ｒ１０  再放出デバイス
Ｒ１００  受信モジュール
Ｒ１１０  再放出モジュール
Ｒ１２０  偏光調整モジュール
Ｒ１３０  単一のモジュール
ＣＴ０  中央端末
Ｃ１０ａ、Ｃ１０ｂ、Ｃ１０ｃ  処理デバイス
ＲＴ１、ＲＴ２、ＲＴ３  遠隔端末
Ｒ１０ａ、Ｒ１０ｂ、Ｒ１０ｃ  再放出デバイス
ＳＳ  システム
ＭＦＯＬａ、ＭＦＯＬｂ、ＭＦＯＬｃ  単一ファイバー光学配線
【図１】
2016516375.tif 000003
【図２】
2016516375.tif 000004
【図３】
2016516375.tif 000005
【図４】
2016516375.tif 000006
【図５】
2016516375.tif 000007
【図６】
2016516375.tif 000008
【国際調査報告】
2016516375.tif 000009
2016516375.tif 000010
2016516375.tif 000011
2016516375.tif 000012
2016516375.tif 000013
2016516375.tif 000014